(57)【特許請求の範囲】
【請求項１】
親機と、該親機に接続された電源兼信号用の二本の線と、該二本の線に接続され、センサーとしての無電圧ブレーク接点（通常オン）、又はメーク接点（通常オフ）を有する複数個の端末器と、該各端末器内に設けられた制御回路と、トランスファ・リレーと、該端末器が直列に接続された最終段に接続された終端回路とから構成されるセンサー接点切換電源供給信号送受信回路方式において、上記二本の線に接続された複数の端末器内の、いずれかのセンサーが起動すると、最初、該親機より一番近い起動した上記端末器が動作し、該端末器内のセンサーと該親機に接続されている二本の線の一本と接続されている該端末器内の検知回路が動作し、この該検知回路とシリーズに該制御回路と接続されているダイオードが導通し該制御回路に電源を供給し、該制御回路は、この時点で駆動され、該制御回路に接続されているトランスファ・リレーを駆動し、該トランスファ・リレーは、該二本の線の一本に接続されている該端末器内のトランスファ・リレーのコモン側のスイッチをブレーク接点側（通常オン）より、メーク接点（通常オフ）側に切換え、該メーク接点側に接続されているダイオードを介して該制御回路が接続され、該親機の一本の線に接続し、電源を供給すると同時に、後段の端末器を切り離し、この状態で、該センサーが復旧しても端末器の制御回路と親機が確実に接続され電源が供給されて信号の送受信が行われ、信号の送受信が終了すると、該制御回路はトランスファ・リレーのコモン側のスイッチを該ブレーク接点側に切換え、復旧させ、該端末器は該親機との接続から開放されることにより各端末器の設置場所を確実に該親機に知らせることができ、該親機は一個分のみの端末器の電源を供給するだけでよいことを特徴とするセンサー接点切換電源供給信号送受信回路方式。
【発明の詳細な説明】
【０００１】
【発明の属する技術分野】
本発明は、例えば、ビルデングの窓などに設けられた複数の防犯用センサーのうちの、どのセンサーが起動したかを識別するセンサー接点切換電源供給信号送受信回路方式に関するものである。
【０００２】
【従来の技術】
従来、この種のセンサー識別方式には、各端末装置にあらかじめ定められた特定のコードを割り当て、中央装置より特定のコードをあらかじめ送出して端末装置の識別を行う方法、あるいは、端末装置より中央装置へあらかじめ特定のコード信号の送出を行い、中央装置において識別を行う方法等がある。
【０００３】
【発明が解決しようとする課題】
しかし、いずれも、直列に接続された端末装置は制御回路が複雑で、端末装置個々に電源を用意するか、電源線と信号線を別々となった回路構成か、電源線と信号線が一緒の場合でも接続する端末装置の数に比例した消費電力を供給しなければならず、親機より供給する電源が過大となる。
親機と直列に接続されているセンサー（メーク接点、ブレーク接点が混在）が起動した場合、どのセンサーが起動したか分からなかった。
また、線路の抵抗による電圧低下の問題もあり、接続される端末装置の数が限定される等の欠点があった。
【０００４】
【課題を解決するための手段】
本発明は、この欠点を達成する為に、通常の状態では親機から二本の線が各端末器のトランスファ・リレーのメーク接点のみに直列に、この線は接続され、各端末器とは開放されている。センサーが起動すると、そのセンサーに接続されている親機から一番近い端末器のみに電源が供給され、その起動されたセンサーの後の端末器はトランスファ・リレーで切り離される。
次に、端末器が動作を開始し、センサー対応の端末器のコード番号を親機に送り、確認信号を親機より受信する。
親機との信号の送受信が正常に終了すると、直列に接続されているトランスファ・リレーのメーク接点が回復し、後続の起動センサーの端末器に親機より電源が供給されセンサー対応の端末器のコード番号を送受信する。以下、この動作は親機に一番近いセンサーの端末器順に順次行われる。一端末器のみにしか、電源を供給しない。よって、消費電力が一端末器のみでよく、安価で工事費も安く、接続出来る端末器の台数の多数でき、線路の距離も長くすることが出来る。
最終段には、終端回路が接続され、断線検知を可能にしている。
以上により、センサー接点切換電源供給信号送受信回路方式を提供することを目的とする。
【０００５】
【発明の実施の形態】
センサーが起動すると、その接点が対応する端末器に切り替わり電源を供給し端末器を起動する。
【０００６】
この時点で、後続に接続されているセンサー及び、
端末器は切り離される。  その後、起動した端末器と親機とのみで信号の送受信が行われる。
【０００７】
センサーが復旧しても信号が確実に送受信されるまで
電源は供給され、後続のセンサーは切り離され、その後、元の状態に復旧する。
【０００８】
【実施例】
実施例について図面を参照して説明すると、図１は実施例の概略構成を示すブロック図であり、同図において、１は親機であり、２（ブレーク接点２Ａ）、３（メーク接点３Ａ）、４（ブレーク接点４Ａ）、５（メーク接点５Ａ）は二本の線７（Ｌ１）、８（Ｌ２）に直列に接続されたセンサー接点切換端末器、６は最終段に接続された終端回路（ターミネータ）である。１は親機で、１Ａはその回路を制御する制御回路、１Ｂは端末からの信号を送受信し、電源も供給する回路である。２Ｂは２の端末器に接続されたブレーク接点２Ａの検知回路、２Ｃは７の線の電源を２Ｅに供給する回路である。
２Ｅは端末器内の制御回路で２Ｂの起動と同時に２Ｃの回路を介して７の線より電源の供給を受け２Ｄのトランスファ・リレー回路（特に規定はしないが、半導体スイッチでも可）を切換え７の線とパスを作る回路である。又、親機との信号の送受信を行う回路である。
メーク接点３Ａは起動と同時に３Ｃの回路が導通し７の線を介して３Ｅの制御回路に電源を供給する。３Ｅは起動と同時に３Ｄのトランスファ・リレー回路を切換え７の線とパスを作る。
又、親機との信号の送受信を行う回路である。
４Ｂは４の端末器に接続されたブレーク接点４Ａの検知回路、４Ｃは７の線の電源を４Ｅに供給する回路である。
４Ｅは端末器内の制御回路で４Ｂの起動と同時に４Ｃの回路を介して７の線より電源の供給を受け４Ｄのトランスファ・リレー回路（特に規定はしないが、半導体スイッチでも可）を切換え７の線とパスを作る回路である。又、親機との信号の送受信を行う回路である。
メーク接点５Ａは起動と同時に５Ｃの回路が導通し７の線を介して５Ｅの制御回路に電源を供給する。５Ｅは起動と同時に５Ｄのトランスファ・リレー回路を切換え７の線とパスを作る。
又、親機との信号の送受信を行う回路である。
６は直列接続された端末器の最終段の終端回路で、６Ａは終端抵抗である。
【０００９】
図２は、端末器に接続されたセンサー接点で、ブレーク接点（Ｂ）に接続された端末器２０の具体的回路構成を示す。センサー接点２０Ａがメークからブレークに動作した時、センサー接点検知回路２０Ｂが導通し、次にパス回路２０Ｃ（ダイオード左）が導通し制御回路２０Ｆに電源が供給され、回路が動作し、リレーＲＬ（２０Ｅ）を駆動し、トランスファ・スイッチ２０Ｄの接点をｒ２からｒ１に切換える。次にパス回路２０Ｃのダイオード右が導通し７の線に接続され、親機１と接続され端末器２０の制御回路２０Ｆより信号の送受信が行われる。
センサー接点２０Ａが復旧しても信号の送受信が終了するまで制御回路は７の線にリレーｒ１の接点を保持し、パス回路２０Ｃ（ダイオード右）を介して２０Ｆに電源を供給すると同時に信号も送受信できる。
信号の送受信が終了するとリレーＲＬ（２０Ｅは開放され、ｒ２の接点に戻る。  以上によりブレーク接点の動作が行われる。
【００１０】
図３はメーク接点（Ｍ）に接続された端末器３０の  回路構成を示す。  センサー接点３０Ａがブレークからメークに動作した時パス回路３０Ｃ（ダイオード左）が導通し制御回路３０Ｆに電源が供給され、回路が動作し、リレーＲＬ（３０Ｅ）を駆動し、トランスファ・スイッチ３０Ｄの接点をｒ２からｒ１に切換える。次にパス回路３０Ｃのダイオード右が導通し７の線に接続され、親機１と接続され端末器３０の制御回路３０Ｆより信号の送受信が行われる。センサー接点３０Ａが復旧しても信号の送受信が終了するまで制御回路は７の線にリレーｒ１の接点を保持し、パス回路３０Ｃ（ダイオード右）を介して３０Ｆに電源を供給すると同時に信号も送受信できる。信号の送受信が終了するとリレーＲＬ（３０Ｅは開放され、ｒ２の接点に戻る。以上によりメーク接点の動作が行われる。
【００１１】
【発明の効果】
以上述べたように、本発明によれば、二本の信号線により多数個のセンサーの識別が確実に行われ、情報の伝達を行えるばかりでなく、機器費用も大幅に低減できる等々の効果をもたらす利点を有している。
又、電源が切り離された端末器のセンサーが動作した時の状態保持は、電池を付加する事により可能である。
【図面の簡単な説明】
【図１】実施例の回路構成図である。
【図２】センサーのブレーク（Ｂ）接点のブロック図である。
【図３】センサーのメーク（Ｍ）接点のブロック図である。
【符号の説明】
１は親機
２，３，４，５は端末器
６は終端回路
７，８は一対の信号、電源供給線。
１Ａは制御回路
１Ｂは信号の送受信、電源供給回路。
２Ａ、３Ａ、４Ａ、５Ａはセンサー接点。
２Ｂ、４Ｂはブレーク接点の場合の付加回路。
２Ｅ、３Ｅ、４Ｅ、５Ｅは端末器の制御回路。
２Ｃ、３Ｃ、４Ｃ，５Ｃはスイッチ回路。
２Ｄ、３Ｄ、４Ｄ、５Ｄは切り離し回路。
６Ａは終端抵抗。
２０はブレーク接点（Ｂ）の端末器。
２０Ａはセンサー接点（ブレーク）。
２０Ｂは２０Ａの動作を検知する切換回路。
２０Ｃはパス回路。
２０Ｄはトランスファースイッチ。
２０Ｅは２０Ｄの接点を駆動する回路。
２０Ｆは端末器の制御回路。
２１は終端回路。
３０はメーク接点（Ｍ）の端末器。
３０Ａはセンサー接点（メーク）。
３０Ｃはパス回路。
３０Ｄはトランスファースイッチ。
３０Ｅは３０Ｄの接点を駆動する回路。
３０Ｆは端末器の制御回路。
３１は終端回路。
【図１】
0003546405.tif 000002
【図２】
0003546405.tif 000003
【図３】
0003546405.tif 000004